(57)【要約】【課題】ダイキャスト成形や樹脂成形を容易に行うことができ、生産性を向上できる可搬型マッサージ機のギヤケース構造を提供する。【解決手段】ギヤケース６がそれぞれダイキャスト成形または樹脂成形により製作され、前記一対の駆動軸１２を各々ウォームホイール１１の上方で回転自在に支持するベアリング１３が組み付けられる上ケース６Ａと、これらの駆動軸１２を各々ウォームホイール１１の下方で回転自在に支持するベアリング１３が組み付けられる上ケース６Ｂから構成されていると共に、上ケース６Ａに組み付けられるベアリング１３は、上ケース６Ａに対して固定されるベアリングカバー１７内に収容保持されている。【選択図】　図３
2004049275.tif 000002
【特許請求の範囲】
【請求項１】
駆動源によって略水平軸線回りに回転駆動されるウォームを中央に挟んで、その左右両側に一対のウォームホイールがそれぞれの回転面を互いに両外側が下方に傾いた状態で収容され、これらのウォームホイールがそれぞれ個別の施療子の駆動軸に固定されている可搬型マッサージ機のギヤケース構造であって、
ギヤケースはそれぞれダイキャスト成形または樹脂成形により製作され、前記一対の駆動軸を各々ウォームホイールの上方で回転自在に支持するベアリングが組み付けられる上ケースと、
これらの駆動軸を各々ウォームホイールの下方で回転自在に支持するベアリングが組み付けられる下ケースから構成されていると共に、
上ケースに組み付けられるベアリングは、上ケースに対して固定されるベアリングカバー内に収容保持されていることを特徴とする可搬型マッサージ機のギヤケース構造。
【請求項２】
駆動源によって略水平軸線回りに回転駆動されるウォームを中央に挟んで、その左右両側に一対のウォームホイールがそれぞれの回転面を互いに両外側が下方に傾いた状態で収容され、これらのウォームホイールがそれぞれ個別の施療子の駆動軸に固定されている可搬型マッサージ機のギヤケース構造であって、
ギヤケースはそれぞれダイキャスト成形または樹脂成形により製作され、前記一対の駆動軸を各々ウォームホイールの上方で回転自在に支持するベアリングが組み付けられる上ケースと、
これらの駆動軸を各々ウォームホイールの下方で回転自在に支持するベアリングが組み付けられる下ケースから構成されていると共に、
少なくとも上ケースは、２つのベアリングが各々独立した部分に組み付けられるように複数に分割された部分から構成されていることを特徴とする可搬型マッサージ機のギヤケース構造。
【請求項３】
ウォームの回転軸線を含む垂直面から外れた位置でギヤケースが分割されていることを特徴とする請求項２記載の可搬型マッサージ機のギヤケース構造。
【発明の詳細な説明】
【０００１】
【発明の属する技術分野】
本発明は、腰や首などの身体の施療部位をマッサージする可搬型マッサージ機の内部に設けられるギヤケースの構造に関する。
【０００２】
【従来の技術】
従来の持ち運び可能な小型のマッサージ機等においては、一対の施療子（揉み玉）がそれぞれ垂直軸線回りに互いに同調して反対方向に旋回駆動され、これらの施療子間で腰や首などの部位を左右両側から挟み込んで揉みほぐすようなマッサージ動作を行う構造になっている。
【０００３】
例えば、特許第２９２８４６９号で提案されている携帯用マッサージ機においては、一対の施療子が駆動軸の回転に同調して摺動機構によって上下方向に摺動する従動軸の上部に所定の傾斜角度で装着されていて、施療子の旋回と上下動によって揉みと指圧の効果が得られるようになっている。
【０００４】
上記技術においては、施療子の旋回運動と同調して上下動させるための摺動機構が必要となり、構造が複雑で製造コストが高くなるため、本出願の発明者らは特願２００２−１３５４６８号において、摺動機構を必要とせずに、施療子に十分な上下方向の動きが得られる構造の可搬型マッサージ機を提案している。
【０００５】
この可搬型マッサージ機においては、モータによって略水平軸線回りに回転駆動されるウォームを中央に挟んで、その左右両側に一対のウォームホイールがそれぞれの回転面を互いに両外側が下方に傾いた状態で噛み合っており、これらのウォームホイールがそれぞれ固定されている駆動軸の上方に、施療子を回転自在に取り付けている傾斜軸が連結されている。
【０００６】
これらの駆動軸は、モータによってウォームが駆動されると、これに噛み合うウォームホイールとともに互いに反対向きに回転し、施療子がそれぞれ取り付けられている傾斜軸の軸線は倒立円錐面に沿って首振り運動を行う。
【０００７】
この際、それぞれの倒立円錐面の中心軸線となる２つの駆動軸の軸線は上方に向かって互いに離れるように傾いているため、一対の施療子は互いに中央へ接近したときに上昇し、また、両外側へ離れた時に下降する運動を行うことで、腰や首の施療部位を指圧する効果が得られるようになっている。
【０００８】
【発明が解決しようとする課題】
前記特願２００２−１３５４６８号で提案した可搬型マッサージ機において、図７に示すようにウォームやウォームホイールを収容するギヤケースＡ１をダイキャスト成形や樹脂成形によって上ケースＡ２と下ケースＡ３に２分割して製作しようとした場合に、上ケースＡ２側で駆動軸を支持するためのベアリングを収容保持するベアリング収容凹部Ａ４を成形するには、金型の下型を左右２つに分割して構成し、これらの下型を中央に向けて斜め下方、すなわち、同図に矢印Ｘ、Ｙで示す向きに抜き取る必要がある。
【０００９】
ところが、これらの下型を両方とも斜め下方に移動しようとすると、互いに衝突してしまうため、このような構造のギヤケースをダイキャスト成形や樹脂成形によって製作することが困難で生産性が悪いという問題があった。
【００１０】
そこで、本発明は、前述したような従来技術の問題を解消し、ダイキャスト成形や樹脂成形を容易に行うことができ、生産性を向上できる可搬型マッサージ機のギヤケース構造を提供することを目的とする。
【００１１】
【課題を解決するための手段】
前記目的を達成するため、本発明は、駆動源によって略水平軸線回りに回転駆動されるウォームを中央に挟んで、その左右両側に一対のウォームホイールがそれぞれの回転面を互いに両外側が下方に傾いた状態で収容され、これらのウォームホイールがそれぞれ個別の施療子の駆動軸に固定されている可搬型マッサージ機のギヤケース構造である。
【００１２】
なお、本発明において用いられている「ウォーム」という用語には、通常のウォームの他、多条ウォーム或いはヘリカルギヤを含み、また、「ウォームホイール」という用語には、通常のウォームホイールの他にヘリカルギヤも含むものとする。
【００１３】
本発明における第１のものにおいては、ギヤケースはそれぞれダイキャスト成形または樹脂成形により製作され、前記一対の駆動軸を各々ウォームホイールの上方で回転自在に支持するベアリングが組み付けられる上ケースと、これらの駆動軸を各々ウォームホイールの下方で回転自在に支持するベアリングが組み付けられる下ケースから構成されていると共に、上ケースに組み付けられるベアリングは、上ケースに対して固定されるベアリングカバー内に収容保持されている。
【００１４】
また、本発明における第２のものにおいては、　ギヤケースはそれぞれダイキャスト成形または樹脂成形により製作され、前記一対の駆動軸を各々ウォームホイールの上方で回転自在に支持するベアリングが組み付けられる上ケースと、これらの駆動軸を各々ウォームホイールの下方で回転自在に支持するベアリングが組み付けられる下ケースから構成されていると共に、少なくとも上ケースは、２つのベアリングが各々独立した部分に組み付けられるように複数に分割された部分から構成されている
【００１５】
【発明の実施の形態】
図１は、本発明のギヤケース構造を有する可搬型マッサージ機の斜視図であって、可搬型マッサージ機１は、椅子やソファの上に載せて、腰部のマッサージを行ったり、床やマットレスの上に置いて、仰向けに寝た姿勢で頸部のマッサージを行うために用いられるものである。
【００１６】
可搬型マッサージ機１の本体１Ａの上面には、開口部１Ｂが形成されており、開口部１Ｂは、柔軟性のあるポリアミド系の耐摩耗性に優れた素材からなる布カバー２で覆われている。
【００１７】
前記布カバー２内には、一対の柔軟で弾力性に富む素材によって外層部が形成されている施療子３が収容されていて、これらの施療子３は、開口部１Ｂを通して本体１Ａ内から突出する傾斜軸４の先端部分にそれぞれ取り付けられている。
【００１８】
これらの傾斜軸４は、ここには図示していない駆動軸の上端に設けられたベアリングホルダ５に組み込まれたベアリングを介してそれぞれの駆動軸に対して自由に回転できるように取り付けられている。
【００１９】
なお、これらの傾斜軸４の中心軸線は、それぞれに対応する駆動軸の中心軸線に対して傾斜している。そして、２つの傾斜軸４は、図示しない駆動源によって互いに反対向きに同期して回転駆動される駆動軸の動きに伴って倒立円錐状の旋回運動を行うようになっている。
【００２０】
図１に示す可搬型マッサージ機１で腰部のマッサージを行う場合には、可搬型マッサージ機１を椅子や座椅子、或いはソファの上に背もたれに、支持ハンドル１Ｃを下方に向けて立て掛けて載せておき、プラグ差込口１Ｄに図示しない電源につないだ電源コードの差込プラグを接続する。
【００２１】
この状態で、可搬型マッサージ機１の使用者は、これらの椅子やソファに座って、腰部の施療部位を可搬型マッサージ機１の布カバー２の上から一対の施療子３に当てる。
【００２２】
そして、可搬型マッサージ機１を駆動すると、それぞれ施療子３が取り付けられている一対の傾斜軸４は、互いに同期して反対向きに旋回運動し、各傾斜軸４に固定されている施療子３はそれぞれ、互いに外向きに傾斜した中心軸線回りに倒立円錐状の軌跡を描いてすりこぎ運動を行う。
一対の施療子３は、このような動きによって施療部位を両側から互いに挟むように近づきながら押圧して揉みと指圧のマッサージを行う。
【００２３】
一方、可搬型マッサージ機１で頸部のマッサージを行う場合には、この可搬型マッサージ機１を床面やマットレス上において、使用者は頸部が一対の施療子３に布カバー２の上から当たるようにして仰向けに横たわり、この状態で、可搬型マッサージ機１を動作させて、施療部位のマッサージを行う。
【００２４】
図２は、図１に示す可搬型マッサージ機１に適用される本発明のギヤケース構造の第１の実施形態を示すギヤケースの斜視図、図３はこのギヤケースの内部構造を示す縦断面図、図４は、このギヤケースの要部分解図であって、ギヤケース６は、蓋状の上ケース６Ａと、図１に示す本体１Ａの内部底面に固定される下ケース６Ｂからなる２分割構造となっていて、アルミ系合金等のダイキャスト成形または、樹脂成形によって製作されている。
【００２５】
上ケース６Ａの周囲には複数のボルト孔７が貫通形成されていて、それぞれのボルト孔７を通して、下ケース６Ｂ上面に形成されているねじ孔８に図示しないボルトを螺着することによって、上ケース６Ａと下ケース６Ｂを一体に連結する構造になっている。
【００２６】
また、図２に示すように、下ケース６Ｂには、図示していないモータを取り付けるためのフランジ部９が一体に形成されている。前記フランジ部９に取り付けられるモータの軸はギヤケース６の内部中央に水平に入り込んでおり、この軸には、図３に示すようにウォーム１０が設けられている。
【００２７】
前記ウォーム１０の左右両側には、同形状の一対のウォームホイール１１が噛み合っており、これらのウォームホイール１１は、それぞれの回転面を互いに両外側が下方へ傾いた状態でギヤケース６内に収められている。
【００２８】
一対のウォームホイール１１は、それぞれ、前述した図１に示すベアリングホルダ５が上端部に固定される駆動軸１２に固定されている。これらの駆動軸１２の上下にはウォームホイール１１を間に挟んでそれぞれベアリング１３が嵌装されている。
【００２９】
それぞれの駆動軸１２のウォームホイール１１の下方に取り付けられるベアリング１３は、ベアリングブッシュ１４を介して下ケース６Ｂの内側上面に形成されているベアリング収容凹部１５内に嵌装されるようになっている。
【００３０】
なお、これらのベアリング１３には、本実施形態においては深溝玉軸受が用いられているが、円錐コロ軸受等のラジアル負荷とともにスラスト負荷が受けられるような他の種類の軸受を用いてもよい。
【００３１】
一方、これらの駆動軸１２のウォームホイール１１の上方に取り付けられているベアリング１３は、上ケース６Ａに形成されている円形の開口部１６から駆動軸１２の上端部とともに上ケース６Ａの外側へ突出してベアリングカバー１７に保持されるようになっている。
【００３２】
それぞれのベアリングカバー１７の筒状部１７Ａの上端には、フランジ部１７Ｂが連続して形成されていて、フランジ部１７Ｂの中心部には、駆動軸１２を上方へ貫通させるための、筒状部１７Ａの内径よりやや小径の開口部１７Ｃが開口している。
【００３３】
また、フランジ部１７Ｂの周囲には、放射状に伸びる４カ所の取付片１７Ｄが形成されていて、それぞれの取付片１７Ｄのボルト孔１７Ｅにボルト１８を通し筒状部１７Ａの外周面下端を開口部１６に嵌合させた状態で、上ケース６Ａ上面に突出形成されている取付ボス１９上面のねじ穴１９Ａに前記ボルト１８を螺合させることで、ベアリングカバー１７が上ケース６Ａに固定されるようになっている。
【００３４】
なお、本実施形態のギヤケース構造においては、ベアリングカバー１７のボルト孔１７Ｅとボルト１８間、及び、筒状部１７Ａ下端外周と上ケース６Ａの開口部１６間に若干の隙間を持たせておくことにより、上ケース６Ｂに対するベアリングカバー１７の取付位置を調整することによってウォーム１０とその両側のウォームホイール１１間の噛み合い調整を行うことができる。
【００３５】
本実施形態によれば、上ケース６Ａ側に保持するベアリング１３を、上ケース６Ａに固定されるベアリングカバー１７内に収容保持させたことで、上ケース６Ａの下面側を成形する金型を下方に引き抜くことができ、このような形状のギヤケース６のダイカスト成形あるいは樹脂成形が可能となる。
【００３６】
次に、図５は、図１に示す可搬型マッサージ機１に適用される本発明のギヤケース構造の第２の実施形態を示すギヤケースの斜視図であって、同図に示すギヤケース２０は、左右一対の上ケース２０Ａ、２０Ｂと、左右一対の下ケース２０Ｃ、２０Ｄの４つに分割された部分から構成されている。
【００３７】
また、これらの４つの部分には、それぞれ、上下左右の直径方向に４分割された、図示しないモータを取り付けるフランジ部２１の各部分が一体に成形されている。
左右の上ケース２０Ａ、２０Ｂの上面には、下ケース２０Ｃ、２０Ｄとの連結用のボルト（図示せず）を通すためのボルト孔２２が貫通形成されている。
【００３８】
そして、これらのボルトを各ボルト孔２２を通して下ケース２０Ｃ、２０Ｄに形成されている図示しないねじ孔に螺合することによって、それぞれ対向する上下のケース２０Ａ、２０Ｃどうし、及び、上下のケース２０Ｂ、２０Ｄどうしが相互に連結される構造になっている。
【００３９】
また、上下のケース２０Ａ、２０Ｂ、２０Ｃ、２０Ｄのそれぞれ中央寄りの前後の側面には、それぞれ連結プレート２３、２４を取り付けるためのねじ穴２５が形成されていて、それぞれの連結プレート２３，２４の各ねじ穴２５に対向する位置に形成されているボルト孔２６にボルト２７を差し込んでねじ穴２５に螺合することにより、これらの連結プレート２３、２４でこれらのケース２０Ａ、２０Ｂ、２０Ｃ、２０Ｄどうしを一体に結合するようにしている。
【００４０】
なお、フランジ部２１側の連結プレート２４には、フランジ部２１をよけるためのスリット部２８が形成されている。また、本実施形態におけるギヤケース２０内に内蔵される部品は前述した実施形態のものと同じものが用いられている。
【００４１】
また、本実施形態のギヤケース２０においては、駆動軸１２を回転自在に支持するベアリングのうち、上ケース２０Ａ、２０Ｂ側に装着されるものは、図示していないが、上ケース２０Ａ、２０Ｂの上面裏側に、図３及び４図に示す下ケース６Ａに形成されているベアリング収容凹部１５と同様に形成されているベアリング収容凹部内に、ベアリングブッシュを介して収容保持されている。
【００４２】
なお、上ケース２０Ａ、２０Ｂの上面には、これらの裏面側に形成されたベアリング収容凹部に連通し、ベアリングブッシュ外径よりも小径に形成された、駆動軸１２を貫通させるための開口部２９がそれぞれ形成されている。
【００４３】
この実施形態のギヤケース２０においては、ギヤケース２０を上下左右に４分割した構造としているため、上ケース２０Ｄ、２０Ｅの裏面側に設けられる中心軸線が下方へ向かって互いに接近する方向に傾斜しているベアリング収容凹部を形成する際に、左右の上ケース２０Ａ、２０Ｂを個別にダイカスト成形あるいは樹脂成形して容易に製作することができる。
【００４４】
なお、本実施形態においては、左右の下ケース２０Ｃ、２０Ｄをそれぞれ独立させているが、これらは、先に述べた図２乃至図４に示すギヤケース６の下ケース６Ｂと同様に一体に製作してもよい。
【００４５】
次に、図６は、図１に示す可搬型マッサージ機１に適用される本発明のギヤケース構造の第３の実施形態を示すギヤケースの斜視図であって、同図に示すギヤケース３０は、右側上ケース３０Ａ、左側上ケース３０Ｂと、中央上ケース３０Ｃ、右側下ケース３０Ｄ、左側下ケース３０Ｅ、中央下ケース３０Ｅの６分割構造としている。
【００４６】
本実施形態においては、モータを取り付けるフランジ部３１は、上下２つの部部分に分割されていて、その上半部は中央上ケース３０Ｃと一体に、また、可搬部は中央下ケース３０Ｆと一体に形成されている。
【００４７】
右側上ケース３０Ａ、左側上ケース３０Ｂ、及び、中央上ケース３０Ｃのそれぞれの上面には、対向する右側下ケース３０Ｄ、左側下ケース３０Ｅ、及び、中央下ケース３０Ｆとの連結用のボルト（図示せず）を通すためのボルト孔３２が貫通形成されている。
【００４８】
そして、これらのボルトを各ボルト孔３２を通して右側下ケース３０Ｄ、左側下ケース３０Ｅ、中央下ケース３０Ｆにそれぞれ形成されている図示しないねじ孔に螺合することによって、それぞれ対向する右側上ケース３０Ａと右側下ケース３０Ｄどうし、左側上ケースと右側下ケースどうし、及び、中央上ケース３０Ｃと中央下ケース３０Ｆどうしが相互に連結される構造になっている。
【００４９】
また、ギヤケース３０の中央寄りの前後の側面には連結プレート３３、３４を取り付けるためのねじ穴３５が形成されていて、それぞれの連結プレート３３，３４の前記各ねじ穴３５に対向する位置に形成されているボルト孔３６に、ボルト３７を差し込んでねじ穴３５に螺合することにより、これらの連結プレート３３、３４でこれらのケース３０Ａ、３０Ｂ、３０Ｃ、３０Ｄ、３０Ｅ、３０Ｆどうしを一体に結合するようにしている。
【００５０】
なお、フランジ部３１側の連結プレート３４には、フランジ部３１をよけるためのスリット部３８が形成されている。また本実施形態におけるギヤケース３０内に内蔵される部品は前述した各実施形態のものと同じものが用いられている。
【００５１】
また、本実施形態のギヤケース３０においては、駆動軸１２を回転自在に支持するベアリングのうち、右側上ケース３０Ａと左側上ケース３０Ｂ側に装着されるものは、図示していないが、右側上ケース３０Ａと左側上ケース３０Ｂの上面裏側に、図３及び４図に示す下ケース６Ａに形成されているベアリング収容凹部１５と同様に形成されているベアリング収容凹部内に、ベアリングブッシュを介して収容保持されている。
【００５２】
なお、右側上ケース３０Ａ及び左側上ケース３０Ｂの上面には、これらの裏面側に形成されたベアリング収容凹部に連通し、ベアリングブッシュ外径よりも小径に形成された、駆動軸１２を貫通させるための開口部３９がそれぞれ形成されている。
【００５３】
この実施形態のギヤケース３０においては、ギヤケース３０を６分割した構造としているため、右側上ケース３０Ａと左側上ケース３０Ｂの裏面側にそれぞれ設けられる中心軸線が下方へ向かって互いに接近する方向に傾斜しているベアリング収容凹部を形成する際に、ギヤケース３０の各部分を個別にダイカスト成形あるいは樹脂成形して容易に製作することができる。
【００５４】
また、特に本実施形態においては、ギヤケース３０の中央部分を中央上ケース３０Ｃと中央下ケース３０Ｆによって構成し、その中に内蔵されるウォームの回転軸線を含む垂直面から外れた位置でギヤケース３０を分割しているため、ウォームの回転で飛散した潤滑オイルがギヤケース３０の下方に漏れ出して周囲を汚損する恐れがない。
【００５５】
なお、本実施形態においては、左側下ケース３０Ｄ、右側下ケース３０Ｅ、中央下ケース３０Ｆをそれぞれ独立させているが、これらは、先に述べた図２乃至図４に示すギヤケース６の下ケース６Ｂと同様に一体に製作してもよい。
【００５６】
【発明の効果】
以上説明したように、請求項１記載の発明によれば、上ケース側に保持するベアリングを、上ケースに固定されるベアリングカバー内に収容保持させたことによって、上ケースの下面側を成形する金型を下方に引き抜くことができるため、駆動源によって略水平軸線回りに回転駆動されるウォームを中央に挟んで、その左右両側に一対のウォームホイールがそれぞれの回転面を互いに両外側が下方に傾いた状態で収容され、これらのウォームホイールがそれぞれ個別の施療子の駆動軸に固定されている構造の可搬型マッサージ機のギヤケースをダイカスト成形あるいは樹脂成形により製造することが可能となり、生産性を高めることができる。
【００５７】
また、請求項２記載の発明によれば、少なくとも上ケースを２つのベアリングが各々独立した部分に組み付けられるように複数に分割された部分から構成しているため、駆動源によって略水平軸線回りに回転駆動されるウォームを中央に挟んで、その左右両側に一対のウォームホイールがそれぞれの回転面を互いに両外側が下方に傾いた状態で収容され、これらのウォームホイールがそれぞれ個別の施療子の駆動軸に固定されている構造の可搬型マッサージ機のギヤケースをダイカスト成形あるいは樹脂成形により製造することが可能となり、生産性を高めることができる。
【００５８】
さらに、請求項３記載の発明によれば、ウォームの回転軸線を含む垂直面から外れた位置でギヤケースが分割されているため、ウォームの回転によってギヤケース内の潤滑オイルがギヤケース下方に漏れ出して周囲を汚損する恐れがない。
【図面の簡単な説明】
【図１】本発明のギヤケース構造を有する可搬型マッサージ機の斜視図である。
【図２】本発明の可搬型マッサージ機のギヤケース構造の第１の実施形態を示す斜視図である。
【図３】ギヤケースの内部構造を示す縦断面図である。
【図４】ギヤケースの要部分解図である。
【図５】本発明の可搬型マッサージ機のギヤケース構造の第２の実施形態を示す一部分解斜視図である。
【図６】本発明の可搬型マッサージ機のギヤケース構造の第３の実施形態を示す一部分解斜視図である。
【図７】ベアリングカバー部をギヤケースの上ケースに形成使用とした場合の金型の抜き方向における干渉を説明する図である。
【符号の説明】
１　　　　　　可搬型マッサージ機
１Ａ　　　　　本体
１Ｂ　　　　　開口部
１Ｃ　　　　　支持バンドル
１Ｄ　　　　　プラグ差込口
２　　　　　　布カバー
３　　　　　　施療子
４　　　　　　傾斜軸
５　　　　　　ベアリングホルダ
６　　　　　　ギヤケース
６Ａ　　　　　上ケース
６Ｂ　　　　　下ケース
７　　　　　　ボルト孔
８　　　　　　ねじ孔
９　　　　　　フランジ部
１０　　　　　　ウォーム
１１　　　　　　ウォームホイール
１２　　　　　　駆動軸
１３　　　　　　ベアリング
１４　　　　　　ベアリングブッシュ
１５　　　　　　ベアリング収容凹部
１６　　　　　　開口部
１７　　　　　　ベアリングカバー
１７Ａ　　　　　筒状部
１７Ｂ　　　　　フランジ部
１７Ｃ　　　　　開口部
１７Ｄ　　　　　取付片
１７Ｅ　　　　　ボルト孔
１８　　　　　　ボルト
１９　　　　　　取付ボス
１９Ａ　　　　　ねじ穴
２０　　　　　　ギヤケース
２０Ａ、２０Ｂ　上ケース
２０Ｄ、２０Ｅ　下ケース
２１　　　　　　フランジ部
２２　　　　　　ボルト孔
２３、２４　　　連結プレート
２５　　　　　　ねじ穴
２６　　　　　　ボルト孔
２７　　　　　　ボルト
２８　　　　　　スリット部
２９　　　　　　開口部
３０　　　　　　ギヤケース
３０Ａ　　　　　右側上ケース
３０Ｂ　　　　　左側上ケース
３０Ｃ　　　　　中央上ケース
３０Ｄ　　　　　右側下ケース
３０Ｅ　　　　　左側下ケース
３０Ｆ　　　　　中央下ケース
３１　　　　　　フランジ部
３２　　　　　　ボルト孔
３３、３４　　　連結プレート
３５　　　　　　ねじ穴
３６　　　　　　ボルト孔
３７　　　　　　ボルト
３８　　　　　　スリット部
３９　　　　　　開口部
【図１】
2004049275.tif 000003
【図２】
2004049275.tif 000004
【図３】
2004049275.tif 000005
【図４】
2004049275.tif 000006
【図５】
2004049275.tif 000007
【図６】
2004049275.tif 000008
【図７】
2004049275.tif 000009